【手続補正書】
【提出日】平成19年2月22日(2007.2.22)
【手続補正１】
【補正対象書類名】明細書
【補正対象項目名】全文
【補正方法】変更
【補正の内容】
【書類名】  明細書
【発明の名称】    パロキセチンの製造方法
【特許請求の範囲】
【請求項１】
パロキセチンの製造方法において、
ａ）式（ＩＩ）
【化１】
2002537394.tif 000001
［式中、Ｒは、（Ｃ１〜Ｃ５）アルキル、（Ｃ１〜Ｃ５）カルボキシアルキル、置換されていてもよいフェニル、置換されていてもよいベンジルから選ばれた基である］の化合物を水素化する工程であって、キラル・ジホスフィン配位子を有する遷移金属の錯体によって触媒作用を受けて、式（ＩＩＩ）の４Ｒ−鏡像異性体に富む化合物を生じさせる該水素化工程、
ｂ）式（ＩＩＩ）の化合物と、該化合物の−ＯＨ基を脱離基に転化することのできる試薬とを反応させ、次いで、セサモル（３，４−メチレンジオキシフェノール）と求核置換を行って、４Ｒ−鏡像異性体に富む式（ＩＶ）
【化２】
2002537394.tif 000002
の誘導体を生じさせる工程、及び
ｃ）  化合物（ＩＶ）のＮ−脱アルキル化を行って、パロキセチン（Ｉ）
【化３】
2002537394.tif 000003
を生じさせる工程、
からなる、上記方法。
【請求項２】
Ｒがエチルを表わす、請求項１に記載の方法。
【請求項３】
キラル・ジホスフィン配位子を有する遷移金属の該錯体において、該遷移金属が、ルテニウム、イリジウム及びロジウムから成る群から選ばれる、請求項１又は２に記載の方法。
【請求項４】
キラル・ジホスフィン配位子を有する遷移金属の該錯体が、
ＥＰ−Ａ−２４５９５９に記載された式（Ｉ）の化合物、又は
式｛ＲｕＸ（ｐ−シメン）［ＢＩＮＡＰ］｝Ｘ−（式中、Ｘはハロゲン原子である）の化合物、又は
ＲｕＨＣｌ［ＢＩＮＡＰ］２；Ｒｕ２Ｃｌ４［ＢＩＮＡＰ］２（ＮＥｔ３）；Ｒｕ［ＢＩＮＡＰ］（ＯＡｃ）２；Ｒｕ［ＢＩＮＡＰ］（ＣＦ３ＣＯ２）２から選ばれる化合物、又は
次の諸式
【化４】
2002537394.tif 000004
【化５】
2002537394.tif 000005
【化６】
2002537394.tif 000006
の１つに相当する化合物、
から選ばれるルテニウム錯体である、請求項１〜３のいずれか１項に記載の方法。
【請求項５】
キラル・ジホスフィン配位子を有する遷移金属の該錯体は、
工程ａ）の水素化混合物中、ｉｎ  ｓｉｔｕで調製される、請求項１〜４のいずれか１項に記載の方法。
【請求項６】
該水素化は、１〜１５０気圧で、アルコール溶媒、ハロゲン化溶媒又はそれらの混合物の中、６０℃〜１５０℃の温度で行われる、請求項１〜５のいずれか１項に記載の方法。
【請求項７】
該水素化は、５〜１５気圧で１００℃〜１３０℃の温度で行われる、請求項６に記載の方法。
【請求項８】
該水素化は、１０気圧で１２０℃の温度で行われる、請求項７に記載の方法。
【請求項９】
工程ａ）で使用する該アルコール溶媒又はハロゲン化溶媒は、ジクロロメタン、ｎ−プロパノール、イソプロパノール、イソブタノール、シクロヘキサノール、及びそれらの混合物から選ばれ、しかも、キラル・ジホスフィン配位子を有する遷移金属の該錯体は、｛ＲｕＣｌ（ｐ−シメン）［（Ｓ）−ＢＩＮＡＰ］｝Ｃｌ、ＲｕＨＣｌ［（Ｓ）−ＢＩＮＡＰ］２、Ｒｕ２Ｃｌ４［（Ｓ）−ＢＩＮＡＰ］２（ＮＥｔ３）から選ばれるルテニウム錯体である、請求項１〜８のいずれか１項に記載の方法。
【請求項１０】
工程ｂ）で使用され、該−ＯＨ基を脱離基に転化することのできる該試薬は、不活性溶媒及び塩基性化合物の存在下、−２０℃〜＋２５℃の温度で、化合物（ＩＩＩ）に添加される、請求項１〜９のいずれか１項に記載の方法。
【請求項１１】
該不活性溶媒がトルエンであり、該塩基性化合物がトリエチルアミンである、請求項１０記載の方法。
【請求項１２】
工程ｂ）で使用され、該−ＯＨ基を脱離基に転化することのできる該試薬は、トシルクロリド、ベンゼンスルホニルクロリド、メタンスルホニルクロリドから選ばれる、請求項１〜１１のいずれか１項に記載の方法。
【請求項１３】
該セサモル（３，４−メチレンジオキシフェノール）は、塩基の存在下でアルコール溶媒との混合物として添加され、次いで、得られる混合物は２〜４時間加熱される、請求項１〜１２のいずれか１項に記載の方法。
【請求項１４】
工程ｃ）の該脱アルキル化は、該生成物（ＩＶ）をクロロギ酸フェニルと反応させ、次いで、得られた生成物を塩基で処理することによって行われる、請求項１〜１３のいずれか１項に記載の方法。
【発明の詳細な説明】
【０００１】
【発明の開示】
（発明の分野）
本発明の分野は、光学活性化合物の合成である。パロキセチン(paroxetine)を合成するための高度に立体特異の方法を本明細書に記述する。
【０００２】
（従来技術）
パロキセチンは、うつ病の治療に広く使用される化合物である。この化合物の構造式は次（I）の通りである。
【化７】
2002537394.tif 000007
【０００３】
式（I）の分子には、２つのキラル中心がピペリジン環の３及び４の位置にそれぞれ含有される。生じ得る４種の異性体の内、４Ｒ−トランス−４−（ｐ−フルオロフェニル−３−｛［３，４−（メチレンジオキシ）フェノキシ］メチル｝ピペリジンとして知られている、絶対配置３Ｓ，４Ｒを有する異性体のみが、薬理的に活性である。従って、パロキセチンの合成法は、結果的に、専ら前述の配置３Ｓ，４Ｒ（又は４Ｒ−トランス）の、４−（ｐ−フルオロフェニル−３−｛［３，４−（メチレンジオキシ）フェノキシ］メチル｝ピペリジン構造が形成されなければならない。
【０００４】
当業者に知られている、パロキセチンの合成法には、式（II）：
【化８】
2002537394.tif 000008
（式中、Ｒはアルキル基を表わす）の中間体の形成に基づくものがある。式（I）の生成物は、この中間体から出発して、(i) ピペリジンの二重結合を還元し、(ii)ヒドロキシメチル基の酸素をアルキル化し、(iii)窒素に結合したアルキル基Ｒを除去すること、によって得られる。この方法は、薬理的に活性な立体配座(conformation)を有する生成物（I）を得るために、対応するラセミ混合物から特定の異性体を分離し、次いで、その望ましい立体配座を有する誘導体（I）が得られるまでそれら異性体を処理することを必要とする。
【０００５】
例えば、特許出願ＷＯ−Ａ−９６３６６３６号明細書には、４−アリールピペリジンの合成であって、光学活性な塩を結晶化させることによって式（II）の誘導体を２種の光学異性体に分離する上記合成が開示されている。それら２種の光学異性体は、次いで、別々にパロキセチンに転化される。従って、この方法では、諸光学異性体を処理するために、別々の独立した合成経路が必要であり、その結果、企業規模にスケールアップすることはほとんど不可能である。
【０００６】
他の方法［Ｊ．標識化合物放射性医薬品(J. Labelled Compounds Radiopharm.), １９９３, ８, ７８５］によると、式（II）の誘導体は上記案に従って水素化され、アルキル化される；次いで、ジアステレオマーは、クロマトグラフ法によって分離され、一方、鏡像異性体は、Ｌ−（＋）−酒石酸で結晶化することによって分離される。（−）−トランス異性体は最終的に、Ｎ−脱アルキル化によってパロキセチンに転化される。この場合、２つの異なる異性体分離サイクルが必要であり、その結果、望ましくない異性体の形の生成物がかなり損失することとなる。従って、この方法もまた、企業規模の製造に適用することはほとんど不可能である。
【０００７】
特許出願ＷＯ−Ａ−９３２２２８４号明細書に開示されている方法は、エステラーゼ触媒反応(esterase-catalysed reactions)の立体特異性に基づいている。この場合、酵素によってトランス・カルボキシル基含有前駆体の形成が引き起こされ、（＋）−トランス形及び（−）−トランス形は従来の諸方法によって分離される。後者の形は、還元及びアルキル化を更に受けて、パロキセチンとなる。この方法の利点は、高度の立体特異性である；この方法の不都合な点は酵素のコストと不安定性である。前述の諸反応は通常、緩慢であり、精確なｐＨと温度の条件下で実施する必要がある。
【０００８】
要するに、当業者に知られている諸分離方法は、望ましくない立体配座を有する異性体形の生成物をかなり損失させるか、又は、前記異性体を転化するための複数の分離プロセスサイクルを必要とする。特に、当業者に知られている諸プロセスは、ラセミ混合物の分割(resolution)を必要とする。それらラセミ混合物には、実質的に類似特性の右旋性及び左旋性の化合物が存在し、分割された生成物の約半数は廃棄されるか又は自由に望ましい形に転化される。
【０００９】
従って、パロキセチンを合成するための、高度に立体特異的な(highly stereospecific)諸プロセスを開発することが必要であると考えられる。特に、異性体の分割サイクルを含まず、しかも、単一異性体について独立した特別の処理を行う必要がない。
（キラル・ジホスフィン配位子の例）
【００１０】
ＢＩＮＡＰ
【化９】
2002537394.tif 000009
【００１１】
ＢＩＰＨＥＭＰ
【化１０】
2002537394.tif 000010
【００１２】
（５，５'−ジクロロ−６，６'−ジメトキシ−ジフェニル−２，２'−ジイル）−ビス−（ジフェニルホスフィン）
【化１１】
2002537394.tif 000011
【００１３】
（ビス−４，４'−ジベンゾフラン−イル）−ビス  ジフェニルホスフィン
【化１２】
2002537394.tif 000012
【００１４】
４，４'−ビスジフェニルホスフィン−２，２'，５，５'−テトラメチル−３，３'−ジチオフェン
【化１３】
2002537394.tif 000013
【００１５】
ＰＹＲＰＨＯＳ
【化１４】
2002537394.tif 000014
【００１６】
ＤＩＯＰ
【化１５】
2002537394.tif 000015
【００１７】
ＢＤＰＰ
【化１６】
2002537394.tif 000016
【００１８】
（詳細な発明の記載）
本発明の目的は、パロキセチンの製造方法を提供することにある。この方法は次の諸工程を含む：
a) 式（II）
【化１７】
2002537394.tif 000017
［式中、Ｒは、（Ｃ1〜Ｃ5）アルキル、（Ｃ1〜Ｃ5）カルボキシアルキル、置換されていてもよいフェニル、置換されていてもよいベンジルから選ばれた基である］の化合物を水素化する工程であって、キラル・ジホスフィン配位子を有する遷移金属の錯体によって触媒作用を受けて、式（III）の４Ｒ−鏡像異性体に富む化合物を生じさせる該水素化工程、
【００１９】
b) 式（III）の化合物と、該化合物の−ＯＨ基を脱離基に転化することのできる試薬とを反応させ、次いで、セサモル（３，４−メチレンジオキシフェノール）(sesamol(3,4-methylenedioxyphenol))と求核置換を行って、４Ｒ−鏡像異性体に富む式（IV）
【化１８】
2002537394.tif 000018
の誘導体を生じさせる工程、及び
【００２０】
c) 化合物（IV）のＮ−脱アルキル化を行って、パロキセチン（I）
【化１９】
2002537394.tif 000019
を生じさせる工程。
【００２１】
式（II）において、Ｒは好ましくはエチルを表わす。Ｒが置換されていてもよいフェニル又はベンジルを表わすならば、その置換基は好ましくは（Ｃ1〜Ｃ5）アルキルである。
工程 a)で得られる式（III）の化合物は、２つの不斉中心をそれぞれ、ピペリジン環上の３位及び４位の位置に持つ。前記生成物は、４Ｒ−鏡像異性体に富むシス（IIIa）及びトランス（IIIb）の異性体の混合物として得られる。
これら２種の異性体（シス及びトランス）の各々は主として、ピペリジン環の４位の位置の炭素原子上に絶対立体配置Ｒを持つ形で存在する。
【００２２】
用語「４Ｒ−鏡像異性体に富む(4R-enantiomerically enriched)」は、全エナンチオマー過剰率（全「ｅｅ」とも呼ばれる）が少なくとも８０％であることを意味する。エナンチオマー過剰率(enantiomeric excesses, 鏡像体過剰率)は、Ｊ．マーチ(March)「最新有機化学(Advanced Organic Chemistry)」，第３版，第４章，第１０７頁（ジョーン・ウィリー及びサンス(John Wiley & Sons)）（１９８５）に記述されている通りに、算出される。
【００２３】
水素化（工程a)）で使用すべき触媒は、キラル・ジホスフィン配位子を有する遷移金属錯体の類に属する化合物である。それら触媒は、反応の立体特異性をもたらし、それによって、式（III）の、４Ｒ−鏡像異性体に富む誘導体を得ることができる。この類の構成要素(members)は全て、キラル・ジホスフィン配位子を有する遷移金属錯体である。前記錯体において、その金属は、キラル配位子に配位結合して、高度に立体特異性の二重結合の水素化に、触媒作用を与えることのできるキラル錯体を与える。
好ましい遷移金属は、ルテニウム、ロジウム及びイリジウムである。
【００２４】
キラル・ジホスフィン配位子の例は、上記式類に属する諸化合物である。
キラル・ジホスフィン配位子を有する遷移金属錯体の例は、特許出願ＥＰ−Ａ−３６６３９０号明細書に記述されている、式 ＲｕＸl（Ｌ）m［ＢＩＮＡＰ］Ｙn、又はＥＰ−Ａ−２４５９５９号明細書に記述されている、式（Ｉ）の諸化合物である。好ましい錯体は、化合物： ｛ＲｕＣｌ（ｐ−シメン）［ＢＩＮＡＰ］｝Ｃｌ； ＲｕＨＣｌ［ＢＩＮＡＰ］2； Ｒｕ2Ｃｌ4［ＢＩＮＡＰ］2（ＮＥｔ3）； Ｒｕ［ＢＩＮＡＰ］（ＯＡｃ）2； Ｒｕ［ＢＩＮＡＰ］（ＣＦ3ＣＯ2）2、及び式
【００２５】
【００２６】
【化２０】
2002537394.tif 000020
【００２７】
【化２１】
2002537394.tif 000021
【００２８】
【化２２】
2002537394.tif 000022
【００２９】
の化合物、及び化合物｛Ｒｕ（ｐ−シメン）Ｃｌ［ＢＩＮＡＰ］｝+ Ｃｌ-等、式｛Ｒｕ（ｐ−シメン）Ｘ［ＢＩＮＡＰ］｝+ Ｘ- （式中、Ｘはハロゲン原子を表わす）の化合物である。
【００３０】
上述の通り、これらの錯体は全てキラルである；各々錯体に依るが、キラル形のもの［例えば、（Ｓ）ＢＩＮＡＰ或いは（Ｒ）ＢＩＮＡＰ］のみが４Ｒ−鏡像異性体に富む生成物中に生成する：この形は、演繹的に決定することはできないが、１つの鏡像異性形［例えば、（Ｓ）ＢＩＮＡＰ］の配位子を持つ化合物（II）の選別水素化試験(screening hydrogenation test)を行い、次いで、水素化された生成物が４Ｒ又は４Ｓの形の鏡像異性体に富むかどうかを調べることによって、容易に選び出すことができる：パロキセチンの合成においては、４Ｒ−鏡像異性体に富む形を生じる鏡像異性配位子を使用すべきであろう。
【００３１】
キラル・ジホスフィン配位子を持つ遷移金属錯体は、それ自体で、又は担持された形で（例えば、ポリマーのマトリックスの上に）使用することができる。
水素化は典型的には、アルコール溶媒及び／又はハロゲン化溶媒中、１〜１５０気圧、６０℃〜１５０℃で、一層好ましくは、５〜１５気圧、１００℃〜１３０℃で、最も好ましくは、１０気圧、１２０℃で行う。上記溶媒の非制限的諸例は、エタノール、メタノール、ｎ−プロパノール、イソプロパノール、ｎ−ブタノール、イソブタノール、シクロヘキサノール、ジクロロメタン、ジクロロエタン、トリクロロエタン、四塩化炭素である。
【００３２】
本発明の一層具体的な態様によると、実質的に４Ｓ形を含まない水素化生成物（III）を得ることが可能である： この表現は、（IIIa）及び（IIIb）の異性体の各々が、少なくとも９５％の、４Ｒ形の自己エナンチオマー過剰率で存在することを意味する； 全エナンチオマー過剰率（IIIa）＋（IIIb）もまた≧９５％である。これを実現させることによって、望ましくない鏡像異性体の形のあらゆる生成物の損失が最小限となるか又は実質的に回避され、かくして、プロセスの単純化、選択性、及び経済的収益性が向上するので、これを実現させることが最も好ましい。反応条件は、実質的に上述のもの、即ち、１〜１５０気圧で６０℃〜１５０℃、一層好ましくは５〜１５気圧で１００℃〜１３０℃、最も好ましくは１０気圧で１２０℃である；しかし、上述の、少なくとも９５％のエナンチオマー過剰率を得るためには、溶媒は、ジクロロメタン、ｎ−プロパノール、イソプロパノール、イソブタノール、シクロヘキサノール、及びそれらの混合物から選ばれ、しかも、錯体は、｛ＲｕＣｌ（ｐ−シメン）［（Ｓ）−ＢＩＮＡＰ］｝Ｃｌ、ＲｕＨＣｌ［（Ｓ）−ＢＩＮＡＰ］2、Ｒｕ2Ｃｌ4［（Ｓ）−ＢＩＮＡＰ］2（ＮＥｔ3）から選ばれるべきである。更なる利点として、水素化反応が、溶媒としてのイソプロパノールの存在下、｛ＲｕＣｌ（ｐ−シメン）［（Ｓ）−ＢＩＮＡＰ］｝Ｃｌによって触媒反応を受けるとき、前述の鏡像異性体の実質的な純度は、生成物（II）から（III）への著しく好都合な転化速度［５時間の反応時間で１００％］に関係する。この要素のおかげで、上記で検討した利点は更に増大する。
【００３３】
工程 a)から得られる化合物（III）は、後続の反応［工程 b］］におけるシス−トランス混合物（IIIa＋IIIb）として使用される。工程 b)では、先ず、適切な試薬を用いた反応によって、化合物（III）の−ＯＨ基を脱離基に転化する必要がある。この操作のための好ましい試薬は、トシルクロリド、メタンスルホニルクロリド、ベンゼンスルホニルクロリドである。不活性溶媒（例えば、トルエン等の、芳香族炭化水素又は脂肪族炭化水素）及び塩基性化合物（例えば、トリエチルアミン等の有機塩基、又は無機塩基、又は塩基性塩）の存在下、−２０℃〜＋２５℃（好ましくは０℃〜−５℃）の温度で、前記の諸試薬を化合物（III）に添加する。この反応によって、式
【００３４】
【化２３】
2002537394.tif 000023
の活性化された中間体が生じる。
【００３５】
この生成物は、塩基性媒体中でセサモル（３，４−メチレンジオキシフェノール）を添加することによって、主としてトランス形の４Ｒ−鏡像異性体に富む、式（IV）の化合物に転化される。セサモル(sesamol)を、アルコール溶媒（好ましくは４−メチルペンタン−２−オール）との混合物として、ベンゼンスルホニルクロリド又はメタンスルホニルクロリド又はトシルクロリドに対して１：１の当量比で添加する。この混合物は、４Ｒ−鏡像異性体に富むトランス−ジアステレオマー（IV）と少量のシス−ジアステレオマーとを与えるためには、（好ましくは２〜４時間）加熱還流してが好都合である。このシス−ジアステレオマーは結晶化によって除去する。
【００３６】
生成物（IV）は、主としてトランス形で得られる。一方、前に生成した４Ｒ−鏡像異性体の富化は、実験の部に与えられているＨＰＬＣ分析データによって示される通り、ほとんど完全に維持される。
工程 c)は、窒素原子に結合したアルキル基Ｒの除去にある。その反応は、当業者に知られている技術によって行われる。好ましい態様によると、生成物（IV）は、ＣＨ2Ｃｌ2中で、クロロギ酸フェニルと混合し、室温で１〜６時間反応させる。最終的に、次式
【００３７】
【化２４】
2002537394.tif 000024
のカルバミン酸誘導体が得られる。このカルバミン酸誘導体は、次いで加水分解される。
【００３８】
工程 c)の終わりに、式（V）
【００３９】
【化２５】
2002537394.tif 000025
の化合物が得られる。この化合物は、４Ｒ形（パロキセチン）の鏡像異性体に富んでいる。４Ｓ配置を持つ少ないほうの異性体部分がもし存在すれば、この異性体部分は、結晶化によって除去する。かくして、純パロキセチン（I）が得られる。
【００４０】
本明細書に記述される方法の工程 a)における試薬として使用される式（II）の化合物は、当業者に知られている種々の技術によって（例えば、ＷＯ−Ａ−９６３６６３６号明細書に開示されているように、１−メチル−４−フルオロスチレンをホルムアルデヒド及びエチルアミン塩酸塩と反応させることによって）容易に得ることができる。
【００４１】
別の方法として、式（II）の化合物は、次の図式：
【００４２】
【化２６】
2002537394.tif 000026
に示されるようにして得ることができる。
【００４３】
４−フルオロブロモベンゼンとマグネシウムとを反応させて臭化４−フルオロフェニルマグネシウム（VI）を与え、これに１−アルキル−４−ビペリドンを添加する。これによって得られる生成物は、１−アルキル−４−（ｐ−フルオロフェニル）−４−ヒドロキシピペリジン（VII）である。この生成物は、Ｈ2ＳＯ4水溶液を用いた加熱還流によって、ピペリジン環の３−４の位置が脱水されて、１−アルキル−４−（ｐ−フルオロフェニル）−１,２,５,６−テトラヒドロピリジン（VIII）が得られる。この生成物は最終的に、同一反応媒体中でホルムアルデヒド水溶液を添加することによって、式（II）の生成物に転化される［プリンス反応(Prins's reaction)］。
【００４４】
本発明の方法では、触媒水素化 a)によって、パラキセチン（４Ｒ）の形成に有用な鏡像異性体の百分率量が大幅に増大し、そして、反応 b)によって、シスとトランスの両方の形の化合物（III）を使用することが可能となる。それによって、異性体として望ましくないために廃棄されるべき生成物の量が著しく低減され、その結果、パラキセチンの収率が高まる。
【００４５】
更に、本発明の利点は、本発明によって、当業者に知られている前述の諸方法で必要とされているような、シス及びトランスの異性体のための後続の独立した諸合成経路が回避されることである。
本発明のもう１つの利点は、前述のエナンチオマー過剰率が中圧（５〜１５気圧）で得られ、本方法はこれらの条件下では容易に企業規模にスケールアップすることができることである。
【００４６】
本発明の更にもう１つの利点は、低い［触媒／担体］率（例えば、１／２００〜１／１０００の範囲）でも高いエナンチオマー過剰率が得られることである。少量の触媒を使用することによって、小額のプロセス投資が容易となる。
次の諸例は本発明を説明するために示すが、本発明を制限するものではない。
【００４７】
実験の部
Ａ）１−エチル−４−（ｐ−フルオロフェニル）−４−ヒドロキシ−ピペリジ
ン（VII）［Ｒ＝Ｅｔ］の合成
ＴＨＦ（テトラヒドロフラン）に入れたマグネシウムと４−フルオロブロモベンゼンとから通常通りに調製した臭化４−フルオロフェニルマグネシウムの約０．９Ｍ溶液（１．０当量、０．３１モル）を滴定し、０℃に冷却し、次いで、ＴＨＦ（６０ｍｌ）に入れた市販の１−エチル−４−ピペリドン（１当量、０．３１モル）の清澄溶液を約４５分間に渡って滴状添加した。滴状添加が終了すると直ちに、この反応を室温で１時間保持した。
【００４８】
この反応混合物を５℃に冷却し、次いで、２０％ＮＨ4Ｃｌ溶液 ３６０ｍｌを添加した。この添加の終わりに、複数の相を分離し、有機相は乾燥によって蒸発させた。水性相はトルエン２５０ｍｌの２つの部分で抽出した。残渣は蒸発させ、次いで、それらトルエン相は一緒にし、２０％ＮＨ4Ｃｌ溶液 ４２０ｍｌで洗浄した。
有機相は濃縮して冷却した。かくして得られた沈降物を濾過した後、浅黄色の固体生成物４０．９ｇを分離した。それのＨＰＬＣ（高圧液体クロマトグラフィ）分析［カラム対称シールド(Column Symmetry Shield)ＲＰ８、溶離剤アセトニトリル：緩衝液＝９０：１０（Ｈ3ＰＯ4でｐＨ＝２．５にしたＫＨ2ＰＯ4０．０２５Ｍ）、流量＝１／ｍｌ／分、検出器ＵＶ２１５ｎｍ］によると、アッセイ９８％、純度＞９８％、及び収率５８％を示した。
【００４９】
粗反応生成物はそのまま後続の反応に使用した。その粗反応生成物について、次のＧＬＣ（ガス液体クロマトグラフィー）／ＭＳ（質量分析）及びＨ1−ＮＭＲ分析を行い、化合物（VII）に対する次の諸パラメータを割り当てた。
1Ｈ−ＮＭＲ（ＣＤＣｌ3）、δ（ｐｐｍ）：７．５５〜７．４４（２Ｈ，ｍ，芳香族のＨ）７．０１（２Ｈ，ｍ，芳香族のＨ）；４．４〜３．６（１Ｈ，ｂｒ  ｓ，−ＯＨ）；３〜１．７５（８Ｈ，ｂｒ  ｍ，Ｈピペリジン環）；２．５９（２Ｈ，ｑ，Ｊ＝７．３Ｈｚ，エチルの-ＣＨ2）；１．１８（３Ｈ，ｔ，Ｊ＝７．３Ｈｚ，エチルの−ＣＨ3）。ＭＳ，ｍ／ｚ（％）：２２３（Ｍ+，１９），２０８（８５），１９０（４３），１２２（３４），１０９（２６），９５（３５），９４（２０），８４（１００），７１（１６），５７（２６），５６（２６）。
【００５０】
Ｂ）１−エチル−４−（ｐ−フルオロフェニル）−３−ヒドロキシメチル−１,２,３,６−テトラヒドロピリジン（II）［Ｒ＝Ｅｔ］の合成
Ｈ2ＳＯ4水溶液（４０ｍｌの水と２９．７ｇのＨ2ＳＯ4）に入れた化合物（VII）［Ｒ＝Ｅｔ］（１０．０ｇ；４４．８ミリモル）に、ホルムアルデヒド４．０ｇ（４９．３ミリモル）溶液（水で３７％）を添加し、次いで、電磁撹拌機で６時間撹拌しながら、加熱還流した。次いで、その混合物を室温まで冷却し、ＮａＯＨの３０％水溶液６０．９ｍｌで塩基性化し、次いで、抽出を繰り返した。次いで、一体となった有機抽出物を水で一旦洗浄し、次いで、濃縮した。
【００５１】
黄色〜橙色の粘性油の形態の残渣は、７５ｍｌのイソプロパノールで希釈し、次いで、化合物（II）の塩化物を沈降させるために、気体状ＨＣｌを添加した。かくして得られた懸濁液は、濾過し、イソプロパノールで洗浄し、次いで、得られた固体を水に溶解させ、次いで、ｐＨ＝１２が得られるまで３０％ＮａＯＨを添加した。次いで、得られた混合物をトルエンで抽出し、有機相は蒸発させた。かくして、ＨＰＬＣによる純度＞９６％［カラム対称シールドＲＰ８、溶離剤アセトニトリル：緩衝液＝９０：１０（Ｈ3ＰＯ4でｐＨ＝２．５にしたＫＨ2ＰＯ4０．０２５Ｍ）、流量＝１ｍｌ／分、検出器ＵＶ２１５ｎｍ］を有する化合物（II）６．３２ｇを再び得た。化合物（II）の収率は６０％であった。
【００５２】
化合物（II）は次のように特徴付けられる：
融点５８〜６０℃；1Ｈ−ＮＭＲ（ＣＤＣｌ3）、δ（ｐｐｍ）：７．３７〜７．２９（２Ｈ，ｍ，芳香族のＨ）７．０１（２Ｈ，ｔ，Ｊ＝８．６Ｈｚ，芳香族のＨ）；６．０７（１Ｈ，ｄ，Ｊ＝３Ｈｚ，オレフィンのＨ）；５．２（１Ｈ，ｂｒ  ｓ，-ＯＨ）；３．８９及び２．６０（７Ｈ，ｍ）；２．５３（２Ｈ，ｑ  Ｊ＝７Ｈｚ，エチルの-ＣＨ2）；１．１６（３Ｈ，ｔ，Ｊ＝７Ｈｚ，ＣＨ3）。ＭＳ，ｍ／ｚ（％）：２３５（Ｍ+，２９），２０４（１００），２０２（３６），１７６（２１），１６０（２１），１４９（２５），１３５（３７），１３３（３９），１０９（８５），８４（１７），５６（６８）。
【００５３】
Ｃ）｛ＲｕＣｌ（ｐ−シメン）［（Ｓ）−ＢＩＮＡＰ］｝Ｃｌ-の存在下での４Ｒシス−及び４Ｒトランス−４−（ｐ−フルオロフェニル）−３−ヒドロキシメチル−１−エチルピペリジン（IIIa）及び（IIIb）［Ｒ＝Ｅｔ］の合成
テトラヒドロピリジン（II）［Ｒ＝Ｅｔ］（３５．５ｇ；１５０．９ミリモル）を、｛ＲｕＣｌ（ｐ−シメン）［（Ｓ）−ＢＩＮＡＰ］｝Ｃｌ-の存在下、作動圧力１０気圧、１２０℃で、イソプロパノール３００ｍｌ中で水素化した。この｛ＲｕＣｌ（ｐ−シメン）［（Ｓ）−ＢＩＮＡＰ］｝Ｃｌ-は、ＣＨ2Ｃｌ2：ＭｅＯＨが１：１である混合溶媒２１ｍｌに入った（Ｓ）−ＢＩＮＡＰ（０．３７８ミリモル、０．２３５ｇ）の溶液と、［ＲｕＣｌ2（ｐ−シメン）］2（０．１８８ミリモル、０．１１５ｇ）とを混合し、次いで、その混合物を２時間加熱還流することによって前もって生成した。この反応は、逐次サンプルのＧＬＣ分析（毛管カラムＡＴ−３５）によって制御し、１２０℃で２時間後に停止した。得られた混合物は室温まで冷却し、セライト(Celite)で濾過し、次いで、減圧で濃縮して、３３．２ｇの生成物を与えた（収率：８８％）。
【００５４】
得られた粗生成物は、ＨＰＬＣ［キラデックス  β−シクロデキストリン  メルク(Chiradex β-cyclodextrin Merck)，溶離剤：メタノール：緩衝液＝１５：８５（ｐＨ＝６になるまでＮａ2ＨＰＯ4を添加した、１．３８ｇ／リットルのＮａＨ2ＰＯ4）、流量＝１ｍｌ／分、検出器ＵＶ２１５ｎｍ］によって分析し、次いで、シスとトランスの両方のジアステレオマーに対するエナンチオマー過剰率を決定した。次の結果が得られた：
トランス、ｅｅ≧９９％；シス、ｅｅ≧９９％、
シス／トランス比：  ５５：４５；全ｅｅ≧９９％。
【００５５】
シス及びトランスのジアステレオマーは、分離し、次いで、分析目的のためのシリカゲルでのＭＰＬＣ精製によって特徴付けた。
４Ｒ−シス  ジアステレオマーは、融点５０〜５３℃を有し、1Ｈ  ＮＭＲ（ＣＤＣｌ3）、δ（ｐｐｍ）：７．４４〜７．２０（２Ｈ，ｍ，芳香族のＨ）；７．１５〜６．９０（２Ｈ，ｍ，芳香族のＨ）；５．８〜４．５（１Ｈ，ｂｒ  ｓ，−ＯＨ）；３．９〜１．６（１０Ｈ，ｍ，ピペリジン環＋ヘキソサイクリックのＣＨ2）；２．２５（２Ｈ，ｑ  Ｊ＝７Ｈｚ，エチルのＣＨ2）；１．１３（３Ｈ，ｔ，Ｊ＝７．２Ｈｚ，エチルのＣＨ3）。ＭＳ，ｍ／ｚ（％）：２３７（Ｍ+，２３），２２２（４３），２０６（１７），１３３（１１），１１４（２９），１０９（２０），８４（１６），７２（１７），５８（１００）。
【００５６】
４Ｒ−トランス  ジアステレオマーは、融点９０〜９２℃を有し、1Ｈ  ＮＭＲ（ＣＤＣｌ3）、δ（ｐｐｍ）：７．３〜７．１（２Ｈ，ｍ，芳香族のＨ）；７．１〜６．８５（２Ｈ，ｍ，芳香族のＨ）；３．５〜３．０（１０Ｈ，ｍ，ピペリジン環）；２．７〜２．２（４Ｈ，ｍ，ピペリジン環＋ヘキソサイクリックのＣＨ2）；２．１５〜１．６５（５Ｈ，ｍ，ピペリジン環＋エチルのＣＨ2）；１．１４（３Ｈ，ｔ，Ｊ＝７．２Ｈｚ，エチルのＣＨ3）。ＭＳ，ｍ／ｚ（％）：２３７（Ｍ+，３４），２２２（７６），２０６（１６），１３３（１４），１１４（３４），１０９（２７），８４（２１），７２（２２），５８（１００）。
【００５７】
Ｄ）Ｒｕ2Ｃｌ4［（Ｓ）−ＢＩＮＡＰ］2（ＮＥｔ3）の存在下での４Ｒ−シス−及び４Ｒ−トランス−４−（ｐ−フルオロフェニル）−３−ヒドロキシメチル−１−エチルピペリジン（IIIa）及び（IIIb）［Ｒ＝Ｅｔ］の合成
テトラヒドロピリジン（II）［Ｒ＝Ｅｔ］（５．０ｇ；２１．４ミリモル）を、Ｒｕ2Ｃｌ4［（Ｓ）−ＢＩＮＡＰ］2（ＮＥｔ3）の存在下、作動圧力１０気圧、１２０℃で、イソプロパノール４０ｍｌ中で水素化した。このＲｕ2Ｃｌ4［（Ｓ）−ＢＩＮＡＰ］2（ＮＥｔ3）は、トルエン２ｍｌに入った［ＲｕＣｌ2（ＣＯＤ）］n（１４．９ｍｇ、０．０５３１ミリモル）の懸濁液に、（Ｓ）−ＢＩＮＡＰ及びＥｔ3Ｎ（０．０３２ｍｌ）を添加し、１２時間加熱還流し、次いで、その混合物を乾燥するまで蒸発させることによって前もって生成した。この反応は１２０℃で５時間後に停止し、その混合物は室温まで冷却した。セライトで濾過し、次いで減圧下で濃縮し、４．３ｇの生成物（収率：８４％）を得た。
【００５８】
（IIIa）と（IIIb）の両者のジアステレオマーのエナンチオマー過剰率は、ＨＰＬＣ分析［キラデックス  β−シクロデキストリン  メルク，溶離剤：メタノール：緩衝液＝１５：８５（ｐＨ＝６になるまでＮａ2ＨＰＯ4を添加した、１．３８ｇ／リットルのＮａＨ2ＰＯ4）、流量＝１ｍｌ／分、検出器ＵＶ２１５ｎｍ］によって決定した。次の結果が得られた：
トランス、ｅｅ≧９９％；シス、ｅｅ≧９８％、
シス／トランス比：  ５０：５０；全ｅｅ≧９９％。
【００５９】
Ｅ）ＲｕＨＣｌ［（Ｓ）−ＢＩＮＡＰ］2の存在下での４Ｒ−シス及び４Ｒ−トランス−４−（ｐ−フルオロフェニル）−３−ヒドロキシメチル−１−エチルピペリジン（IIIa）及び（IIIb）［Ｒ＝Ｅｔ］の合成
テトラヒドロピリジン（II）［Ｒ＝Ｅｔ］（５．０ｇ；２１．４ミリモル）を、ＲｕＨＣｌ［（Ｓ）−ＢＩＮＡＰ］2の存在下、作動圧力１０気圧、１２０℃で、イソプロパノール４０ｍｌ中で水素化した。このＲｕＨＣｌ［（Ｓ）−ＢＩＮＡＰ］2は、ＥｔＯＨ  ３ｍｌに入った［ＲｕＣｌ2（ＣＯＤ）］n（１４．９ｍｇ、０．０５３１ミリモル）の溶液に、（Ｓ）−ＢＩＮＡＰ（７４．０ｍｇ、０．１２０ミリモル）及びＥｔ3Ｎ（０．０１７ｍｌ）を添加し、６時間加熱還流し、次いで、その混合物を乾燥するまで蒸発させることによって前もって生成した。この反応は１２０℃で５時間後に停止し、その混合物は室温まで冷却した。セライトで濾過し、次いで減圧下で蒸発させた後、４．２ｇの生成物（収率：８３％）を得た。
【００６０】
（IIIa）と（IIIb）の両者のジアステレオマーのエナンチオマー過剰率は、ＨＰＬＣ分析［キラデックス  β−シクロデキストリン  メルク，溶離剤：メタノール：緩衝液＝１５：８５（ｐＨ＝６になるまでＮａ2ＨＰＯ4を添加した、１．３８ｇ／リットルのＮａＨ2ＰＯ4）、流量＝１ｍｌ／分、検出器ＵＶ２１５ｎｍ］によって決定した。次の結果が得られた：
トランス、ｅｅ≧９９％；シス、ｅｅ≧９９％、
シス／トランス比：  ５０：５０；全ｅｅ≧９９％。
【００６１】
Ｆ）Ｒｕ［（Ｓ）−ＢＩＮＡＰ］（ＯＡｃ）2の存在下での４Ｒ−シス及び４Ｒ−トランス−４−（ｐ−フルオロフェニル）−３−ヒドロキシメチル−１−エチルピペリジン（IIIa）及び（IIIb）［Ｒ＝Ｅｔ］の合成
テトラヒドロピリジン（II）［Ｒ＝Ｅｔ］（５．０ｇ；２１．４ミリモル）を、Ｒｕ［（Ｓ）−ＢＩＮＡＰ］（ＯＡｃ）2（４８．０ｍｇ、０．０５７ミリモル）の存在下、作動圧力１０気圧、１２０℃で、イソプロパノール４０ｍｌ中で水素化した。このＲｕ［（Ｓ）−ＢＩＮＡＰ］（ＯＡｃ）2は、「無機化学(Inorg. Chem.)  ２７，１９８８，５６６〜５６９」に記述されている方法に従って、［ＲｕＣｌ2（ＣＯＤ）］n及び（Ｓ）−ＢＩＮＡＰから前もって生成した。この反応は１２０℃で１８時間後に停止し、その混合物は室温まで冷却した。セライトで濾過し、次いで減圧下で蒸発させた後、３．６ｇの生成物を得た（収率：７１％）。
【００６２】
（IIIa）と（IIIb）の両者のジアステレオマーのエナンチオマー過剰率は、ＨＰＬＣ分析［キラデックス  β−シクロデキストリン  メルク，溶離剤：メタノール：緩衝液＝１５：８５（ｐＨ＝６になるまでＮａ2ＨＰＯ4を添加した、１．３８ｇ／リットルのＮａＨ2ＰＯ4）、流量＝１ｍｌ／分、検出器ＵＶ２１５ｎｍ］によって決定した。次の結果が得られた：
トランス、ｅｅ≧４３％；シス、ｅｅ≧９４％、
シス／トランス比：  １０：９０；全ｅｅ≧８９％。
【００６３】
Ｇ）Ｒｕ［（Ｓ）−ＢＩＮＡＰ］（ＣＦ3ＣＯ2）2の存在下での４Ｒ−シス及び４Ｒ−トランス−４−（ｐ−フルオロフェニル）−３−ヒドロキシメチル−１−エチルピペリジン（IIIa）及び（IIIb）［Ｒ＝Ｅｔ］の合成
テトラヒドロピリジン（II）［Ｒ＝Ｅｔ］（５．０ｇ；２１．４ミリモル）を、Ｒｕ［（Ｓ）−ＢＩＮＡＰ］（ＣＦ3ＣＯ2）2（５０．０ｍｇ、０．０３１ミリモル）の存在下、作動圧力１０気圧、１２０℃で、イソプロパノール４０ｍｌ中で水素化した。このＲｕ［（Ｓ）−ＢＩＮＡＰ］（ＣＦ3ＣＯ2）2は、Ｒｕ［（Ｓ）−ＢＩＮＡＰ］（ＯＡｃ）2をＣＨ2Ｃｌ2に溶解し、トリフルオロ酢酸を添加し、１２時間撹拌し続け、蒸発させ、トルエン及びヘキサンに再溶解し、次いで、結晶化させることによって前もって生成した。この反応は２０時間後に停止し、その混合物は室温まで冷却した。セライトで濾過し、次いで減圧下で蒸発させた後、３．７ｇの生成物（収率：７３％）を得た。
【００６４】
（IIIa）と（IIIb）の両者のジアステレオマーのエナンチオマー過剰率は、ＨＰＬＣ分析［キラデックス  β−シクロデキストリン  メルク，溶離剤：メタノール：緩衝液＝１５：８５（ｐＨ＝６になるまでＮａ2ＨＰＯ4を添加した、１．３８ｇ／リットルのＮａＨ2ＰＯ4）、流量＝１ｍｌ／分、検出器ＵＶ２１５ｎｍ］によって決定した。次の結果が得られた：
トランス、ｅｅ≧６９％；シス、ｅｅ≧９３％、
シス／トランス比：  ３４：６６；全ｅｅ≧８５％。
【００６５】
鏡像異性体選択(enantioselective)水素化によって得られた諸結果は、次表にまとめる。
【００６６】
【表１】
2002537394.tif 000027
【００６７】
全試験において、得られた全ｅｅは決して８５％より小さくはならず；特に、好ましい配位子と溶媒とを用いて行った例Ｃ、Ｄ、Ｅについては、全ｅｅも固有の（IIIa）及び（IIIb）も９８〜９９％であることが分かる。
鏡像異性体選択性に及ぼす影響を調べるために、種々のアルコール溶媒又はハロゲン化された溶媒を用いて、例Ｃを繰り返した。ハロゲン化温度は１２０℃であり、その反応は５時間後に停止した。その結果は、次表にまとめる。
【００６８】
【表２】
2002537394.tif 000028
【００６９】
ご覧の通り、全ての溶媒によって少なくとも９５％のｅｅが与えられた。ｉ−ＰｒＯＨの場合、９９％のｅｅに加えて、非常に高い転化率（５時間で１００％）が観察された。
【００７０】
Ｈ）４Ｒ−シス−及び４Ｒ−トランス−４−（ｐ−フルオロフェニル）−３−ヒドロキシメチル−１−エチル−３−（３,４−メチレンジオキシフェノキシメチル）ピペリジン（IV）［Ｒ＝Ｅｔ］の合成
先の諸例によって得られた鏡像異性体（IIIa）及び（IIIb）の混合物（４０．０ｇ、１６９ミリモル）のトルエン溶液２４０ｍｌを、トリエチルアミン（１．７当量、２８６ミリモル、２１ｍｌ）と、次いで、メタンスルホニルクロリド（１．２当量、２０２ミリモル、１５．６ｍｌ）と、室温で撹拌しながら、１時間に渡って滴状添加しながら混合した。
【００７１】
その混合物は、２５℃で３時間撹拌し、次いで、濾過した。液相は水で洗浄し、次いで、得られた有機相は、減圧下で濃縮した。残渣（４７．２ｇ）はトルエン（２４０ｍｌ）に溶解し、次いで、４−メチルペンタン−２−オール（１００ｍｌ）中のセサモル溶液［（IIIa）及び（IIIb）の混合物に関し１．０当量、１６９ミリモル、２３．３ｇ］で処理し、次いで、ＮａＯＨ  １０Ｍ［（IIIa）及び（IIIb）の混合物に関し１．２当量、２０１ミリモル、２０．３ｍｌ］の水溶液で処理した。得られた不均質混合物は、３時間加熱還流した。次いで、反応混合物は中性になるまで水で３回洗浄し、有機相は分離した。水性相は、トルエンで再び抽出した。有機相は、減圧下で一緒にし、濃縮した。粘性油残渣（５５．０ｇ）をＧＬＣ分析（ＳＥ−毛管カラム）によって、シス及びトランスのジアステレオマー（IV）が１０：９０の比で存在することが分かった。
【００７２】
残渣は、イソプロパノールに溶解し、気体状ＨＣｌを添加した。４Ｒ−トランス  ジアステレオマー（塩酸塩）のみが、７４％の収率（１２５ミリモル、４９．１ｇ）で沈降した。
次いで、この塩酸塩は、水に溶解させ、３０％ＮａＯＨを用いて塩基性化し、次いで、トルエンで水性相を抽出することによって、遊離塩基に再転化した。有機相は、蒸発させて、４Ｒ−トランス  ジアステレオマー遊離塩基（４４．１ｇ）を与えた。収率：９９％。
【００７３】
ＨＰＬＣ［キラデックス  β−シクロデキストリン  メルク，溶離剤：メタノール：緩衝液＝４０：６０（ＡｃＯＨを用いてｐＨを４．１にした１％トリエチルアミン）、流量＝１ｍｌ／分、検出器ＵＶ２９０ｎｍ］によって決定した前記ジアステレオマーの鏡像異性体純度は、＞９９％であった。
1Ｈ及び13Ｃスペクトル、「１Ｈ−１Ｈ  ＣＯＳＹ」、異核シフト相関(Heteronuclear Shift Correlation)、異核シフト相関長距離(Heteronuclear Shift Correlation Long Range)、及びＮＯＥＳＹの諸試験の記録を含む「ＡＭＸ−６００  ＢＲＵＫＥＲ」スペクトロメータで行ったＮＭＲ分析によって、２つの反応性性物に関する正しい立体化学を与えることができた。生成物の４Ｒ−トランス遊離塩基の浅黄色シロップ(syrup)は、次の吸光度を持つ：1Ｈ  ＮＭＲ（ＣＤＣｌ3）、δ（ｐｐｍ）：７．１６（２Ｈ，ｍ，Ｈ  フルオロフェニル）；６．９６（２Ｈ，ｍ，Ｈ  フルオロフェニル）；６．６２（１Ｈ，ｄ，Ｊ＝８．８Ｈｚ，Ｈ  セサモル）；６．３４（１Ｈ，ｄ，Ｊ＝２．４Ｈｚ，Ｈ  セサモル）；６．１３（１Ｈ，ｄｄ，Ｊ＝８．８及び２．４Ｈｚ，Ｈ  セサモル）；５．８７（２Ｈ，ｓ，Ｏ−ＣＨ2−Ｏ）；３．５８（１Ｈ，ｄｄ，Ｊ＝９．５及び２．８Ｈｚ，ＣＨ2−Ｏ）；３．４５（１Ｈ，ｄｄ，Ｊ＝９．５及び６．８Ｈｚ，ＣＨ2−Ｏ）；３．３１（１Ｈ，ｍ，ＣＨ−Ｎ）；２．４５（３Ｈ，ｍ，エチルのＣＨ2＋ピペリジン環のＣＨ）；２．２０（１Ｈ，ｍ，ピペリジン環のＣＨ）；２．１〜１．７（４Ｈ，ｍ，ピペリジン環のＣＨ）；１．１７（３Ｈ，ｔ，Ｊ＝７．２Ｈｚ，ＣＨ3）。ＭＳ，ｍ／ｚ（％）：３５７（Ｍ+，２），２２０（１３），２０５（１６），１３７（７），１０９（１４），９８（１０），８２（１２），７２（１００），５８（２３）。
【００７４】
Ｉ）パロキセチン塩酸塩（I）の合成
ジクロロメタン（１３５ｍｌ）中の４Ｒ−トランス−４−（ｐ−フルオロフェニル−３−ヒドロキシメチル−１−エチル−３−（３，４−メチレンジオキシフェノキシメチル）ピペリジン（IV）  ［Ｒ＝Ｅｔ］（２６．５ｇ；  ７４．１ミリモル）の溶液は、０℃に冷却し、次いで、１５分間に渡ってクロロギ酸フェニル（２２．６ｇ；１４４ミリモル）ジクロロメタン（２２ｍｌ）の溶液を滴状添加した。その清澄黄色溶液は、室温で３時間保持し、次いで、ＮａＯＨ １Ｍの１５０ｍｌで洗浄し、ＨＣｌ ６Ｍの１５０ｍｌの２つの部分を用いて洗浄した。有機相は、乾燥するまで蒸発させ、次いで、トルエン（１９０ｍｌ）を用いて再溶解した。次いで、得られた混合物は、濾過して、固体ＮａＯＨ １９．２ｇ（３４３ミリモル）を添加し、２時間加熱還流した。次いで、その混合物は、室温まで冷却し、水１５０ｍｌを添加した。有機相は分離し、水性相は、水１００ｍｌの２つの部分を用いて再抽出し、乾燥するまで蒸発させた。
【００７５】
残渣は、イソプロパノール（８５ｍｌ）に溶解し、次いで、３７％ＨＣｌを添加した。かくして、パラキセチン塩酸塩を沈降させ、濾過し、洗浄し、次いで、乾燥させた。かくして、パラキセチン塩酸塩の２１．９ｇ（５９．３ｍｌ）を分離した。この生成物は、ＨＰＬＣ［シールド(Symmetry Shield)ＲＰ８、溶離剤アセトニトリル：緩衝液＝７０：３０（Ｈ3ＰＯ4でｐＨ＝２．５にしたＫＨ2ＰＯ4０．０２５Ｍ）、流量＝１／ｍｌ／分、検出器ＵＶ２１５ｎｍ］によって分析し、アッセイ９９％、純度９９．９％及び収率８０％を持つことが分かった。スペクトル分析データは、文献データと一致した。